(57)【特許請求の範囲】
【請求項１】
端子挿入口から端子金具を挿入可能な複数のキャビティが設けられたコネクタハウジングと、
前記複数の端子挿入口を覆うように前記コネクタハウジングに装着されたカバー部材とを備えた非防水コネクタであって、
前記コネクタハウジングには、前記各キャビティ間を仕切る隔壁から前記カバー部材側に向かって突出する突出壁が設けられており、
前記カバー部材には、前記突出壁側に向かって突出するリブ壁が設けられており、
前記突出壁の先端部と前記リブ壁の先端部とが互いに重なり面で重なっており、前記キャビティの並び方向と前記重なり面とが交差する非防水コネクタ。
【請求項２】
前記突出壁の前記キャビティ側には、その先端部より拡幅した突出基部が設けられており、
前記リブ壁の前記突出壁とは反対側には、その先端部より拡幅したリブ基部が設けられており、
前記リブ壁の先端部は前記突出基部に突き当てられる一方で、前記突出壁の先端部は前記リブ基部に突き当てられる請求項１に記載の非防水コネクタ。
【請求項３】
前記カバー部材は、前記端子金具に接続された電線の引き出し方向と直交する方向の少なくとも一方側に開口部を有し、
その開口部には、蓋部が前記カバー部材の装着方向と直交する方向から装着可能となっており、
前記蓋部には、該蓋部の装着方向に突出する突出リブ部が設けられており、
前記突出リブ部の先端部と前記カバー部材の前記リブ壁の先端部とが前記蓋部の装着方向に重なりつつ、前記突出壁の先端部とも重なって前記重なり面を構成する請求項１または請求項２に記載の非防水コネクタ。
【発明の詳細な説明】
【技術分野】
【０００１】
本発明は、非防水コネクタに関する。
【背景技術】
【０００２】
防水用のゴム栓などが装着されていない非防水コネクタが、鉄粉等の異物が浮遊した潤滑油などの油中で使用されることがある。このようなコネクタの一例として、特開２０１３−１０９８９３号公報（下記特許文献１）に記載のコネクタがある。このコネクタは、コネクタハウジングの後方開口からキャビティ内に収容した端子金具をリテーナが係止するようになっている。このようなコネクタでは、コネクタハウジングに設けられたリテーナを装着するリテーナ装着部が各キャビティ間を連通しているため、鉄粉等の異物がコネクタハウジングとリテーナとの隙間から侵入して、隣接するキャビティ内に収容された端子金具間で短絡する虞がある。そのため、このコネクタでは、端子金具間の短絡を防ぐために、各キャビティ間を仕切る隔壁に、一方の端子金具から他方の端子金具に至る経路の距離が増すように、リテーナ装着部に突出する突出壁を設けている。
【先行技術文献】
【特許文献】
【０００３】
【特許文献１】特開２０１３−１０９８９３号公報
【発明の概要】
【発明が解決しようとする課題】
【０００４】
特開２０１３−１０９８９３号公報（上記特許文献１）に記載のコネクタでは、コネクタハウジングのリテーナ装着部とリテーナとの間の異物侵入対策は取られているが、キャビティの後方開口（端子挿入口）側からの異物侵入対策は取られていない。そのため、端子挿入口から侵入した異物によって、隣接する端子金具間が短絡する虞がある。
【課題を解決するための手段】
【０００５】
本明細書で開示される非防水コネクタは、端子挿入口から端子金具を挿入可能な複数のキャビティが設けられたコネクタハウジングと、前記複数の端子挿入口を覆うように前記コネクタハウジングに装着されたカバー部材とを備えた非防水コネクタであって、前記コネクタハウジングには、前記各キャビティ間を仕切る隔壁から前記カバー部材側に向かって突出する突出壁が設けられており、前記カバー部材には、前記突出壁側に向かって突出するリブ壁が設けられており、前記突出壁の先端部と前記リブ壁の先端部とが互いに重なり面で重なっており、前記キャビティの並び方向と前記重なり面とが交差する。
【０００６】
このような構成によると、端子挿入口側にはカバー部材が取り付けられることで、端子挿入口からキャビティ内への異物の侵入を抑制することができる。また、突出壁の先端部とリブ壁の先端部とが重なり面で重なり合い、この重なり面がキャビティの並び方向と交差することから、仮に、カバー部材とコネクタハウジングとの間に異物が侵入したとしても、隣接するキャビティ間を跨ぐように異物が侵入することができなくなる。よって、端子挿入口からキャビティ内に侵入した異物混入による短絡を防止することができる。
【０００７】
本明細書に開示される非防水コネクタの実施の態様として、以下の構成としても良い。
前記突出壁の前記キャビティ側には、その先端部より拡幅した突出基部が設けられており、前記リブ壁の前記突出壁とは反対側には、その先端部より拡幅したリブ基部が設けられており、前記リブ壁の先端部は前記突出基部に突き当てられる一方で、前記突出壁の先端部は前記リブ基部に突き当てられる構成としても良い。
【０００８】
このような構成では、リブ壁と突出壁とが重なり面で重なり合いつつ突き当てあう構造になっている。そのため、隣接する端子金具のうち一方の端子金具から、キャビティの壁面及び突出壁を伝わって、他方の端子金具に至る経路の距離が増す。そのため、キャビティ内への異物混入による隣接する端子金具間の短絡をさらに防止することができる。
【０００９】
また、前記カバー部材は、前記端子金具に接続された電線の引き出し方向と直交する方向の少なくとも一方側に開口部を有し、その開口部には、蓋部が前記カバー部材の装着方向と直交する方向から装着可能となっており、前記蓋部には、該蓋部の装着方向に突出する突出リブ部が設けられており、前記突出リブ部の先端部と前記カバー部材の前記リブ壁の先端部とが前記蓋部の装着方向に重なりつつ、前記突出壁の先端部とも重なって前記重なり面を構成する構成としても良い。
【００１０】
このような構成では、カバー部材に設けられた開口部に蓋部を装着することで、キャビティ内への異物の侵入をさらに抑制できる。また、突出壁とリブ壁と突出リブ部が三次元的に組み合わさって重なり合っていることから、仮に、突出リブ部と突出壁もしくはリブ壁との間に異物が侵入したとしても、キャビティ側への異物の侵入を防止できる。そのため、隣接する端子金具において、端子挿入口から侵入した異物混入による短絡を防止することができる。
【発明の効果】
【００１１】
本明細書に開示された非防水コネクタによれば、端子挿入口から異物がキャビティ内に侵入して隣接する端子金具同士の短絡を防止することができる。
【図面の簡単な説明】
【００１２】
【図１】実施形態１における非防水コネクタの正面図
【図２】非防水コネクタの側面図
【図３】図１におけるＩＩＩ−ＩＩＩ位置における断面図
【図４】図１におけるＩＶ−ＩＶ位置における断面図
【図５】図１におけるＶ−Ｖ位置における断面図
【図６】図２におけるＶＩ−ＶＩ位置における断面図
【図７】カバー部材の正面図
【図８】図３の位置における非防水コネクタの分解断面図
【図９】図５の位置における非防水コネクタの分解断面図
【図１０】実施形態２における非防水コネクタの正面図
【図１１】非防水コネクタの側面図
【図１２】図１０におけるＸＩＩ−ＸＩＩ位置における断面図
【図１３】図１０におけるＸＩＩＩ−ＸＩＩＩ位置における断面図
【図１４】図１１におけるＸＩＶ−ＸＩＶ位置における断面図
【図１５】カバー部材の正面図
【図１６】図１４の位置におけるコネクタハウジングの断面図
【図１７】非防水コネクタの分解正面図
【図１８】非防水コネクタの分解側面図
【図１９】図１２の位置における非防水コネクタの分解断面図
【図２０】図１３の位置における非防水コネクタの分解断面図
【図２１】突出壁との重なり構造の概略を示す分解斜視図
【図２２】リブ壁と突出リブ部が重なった状態での概略を示す斜視図
【図２３】突出壁とリブ壁と突出リブ部が重なった状態での概略を示す斜視図
【発明を実施するための形態】
【００１３】
＜実施形態１＞
実施形態について図１から図９を参照して説明する。
本実施形態の非防水コネクタ１０は、鉄粉等の異物が浮遊した潤滑油などの油中で使用されるものであって、図１及び図２に示すように、コネクタハウジング２０と、カバー部材５０とを備えている。この非防水コネクタ１０は、雌コネクタであって、相手側コネクタである雄コネクタに嵌合可能とされている。なお、以下の説明において、前後方向については、図２の左側（非防水コネクタ１０の嵌合方向）を前側とし、図２の右側を後側とする。また、上下方向については、図１及び図２を基準とし、図１の上側を上側、図１の下側を下側とする。
【００１４】
コネクタハウジング２０は合成樹脂製であって、図１及び図２に示すように、全体として横長断面の略直方体状をなしている。コネクタハウジング２０の上面には、このコネクタハウジング２０の前端から後方に向かって片持ち状に延出されたロックアーム２１が形成されている。ロックアーム２１は、コネクタハウジング２０の幅方向（左右方向）の略中央位置に設けられており、コネクタハウジング２０の後端位置まで延びており、後端側が上下方向に撓み可能となっている。また、コネクタハウジング２０の後端部の両側面から上方に向かって、ロックアーム２１を保護するためのロックアーム保護壁２１Ａが一対突設される。
【００１５】
また、コネクタハウジング２０の後端下縁には、図１及び図３に示すように、フランジ部２３が設けられている。フランジ部２３は、コネクタハウジング２０の後端部下面が下方に向かって肉厚になるようにして設けられている。フランジ部２３は、コネクタハウジング２０の後端縁よりも後端位置が前方になっており、後記するカバー部材５０のリブ壁６５の前後方向の寸法分だけ前方に位置している。
【００１６】
このコネクタハウジング２０内には、図１及び図３に示すように、高さ方向（上下方向）に一段でかつ幅方向（左右方向）に複数列のキャビティ２５が並んで設けられている。各キャビティ２５は、前後方向に貫通しており、後方の端子挿入口２５Ａから端子金具４０がキャビティ２５内に挿入可能とされ、相手側端子金具は前方から挿入可能となっている。また、各キャビティ２５の下面には、正規位置に挿入された端子金具４０を一次係止するためのランス２７が設けられている。ランス２７は、各キャビティ２５の前後方向の略中央位置から前方に向けて片持ち状に延出され、上下方向に弾性変形可能となっている。
【００１７】
端子金具４０は、図３に示すように、導電性の金属板を曲げ加工等して形成された前後方向に細長い形状の雌型端子金具である。端子金具４０は、角筒状の接続部４１と、電線４５に接続されるバレル部４３とを備えている。バレル部４３は、電線４５の端末に露出した芯線をカシメ付けるワイヤバレル部４３Ａと、電線４５の絶縁被覆をカシメ付けるインシュレーションバレル部４３Ｂとを備えている。
【００１８】
コネクタハウジング２０には、図３及び図５に示すように、後記するリテーナ３７を装着するためのリテーナ装着部２９が設けられている。リテーナ装着部２９は、ランス２７の後方で、端子金具４０のワイヤバレル部４３Ａが配される位置に設けられており、幅方向に並ぶ各キャビティ２５を連通する。また、リテーナ装着部２９は、コネクタハウジング２０の下面及び両側方に開口されている。
【００１９】
コネクタハウジング２０において、図５及び図６に示すように、幅方向で隣接するキャビティ２５間は、複数の隔壁３１（「突出基部」の一例）によって仕切られており、これら隔壁３１によって各端子金具４０が相互に絶縁されている。そして、隔壁３１の後端面３１Ａから後方に向かって突出する突出壁３３が設けられている。各突出壁３３の間は、下方及び後方に開口した状態となっている。
【００２０】
突出壁３３は、隔壁３１の後端面３１Ａの幅寸法の略半分程度の幅となっている。そして、突出壁３３の上端位置は隔壁３１とほぼ同じで、下端位置は隔壁３１の寸法よりも下側に突出しており、フランジ部２３の下端位置とほぼ同じとなっている。また、突出壁３３は、ロックアーム２１の後端位置とほぼ同じ位置まで後方に向かって突出している。また、突出壁３３の後記するリブ壁６５側の側面は、リブ壁６５と重なり合う重なり面３３Ａとなっている。突出壁３３の後端面は、後記するリブ基部６７に突き当たる突き当て面３３Ｂとなっている。また、突出壁３３の後記するリブ壁６５と反対側の側面は、隔壁３１と面一になっており、その先端部は、先端側（後側）にいくほど幅狭になるテーパー面３３Ｃになっている。
【００２１】
コネクタハウジング２０の後端部の側面には、図５及び図６に示すように、カバー部材５０を係止するための係止突起３５が設けられている。係止突起３５は、コネクタハウジング２０の両側面から外側に爪形状に突出することで形成されている。また、係止突起３５は、各キャビティ２５の高さ位置とほぼ同じ高さ位置に設けられており、コネクタハウジング２０の後端部で、突出壁３３が突き出している位置に設けられている。
【００２２】
リテーナ３７は、合成樹脂製であって、図３及び図５に示すように、リテーナ装着部２９の開口から上方に差し込まれ、端子金具４０を二次係止する。リテーナ３７は、リテーナ装着部２９にほぼ緊密に嵌合可能となっている。
【００２３】
カバー部材５０は、合成樹脂製であって、図４及び図７に示すように、端子挿入口２５Ａの後方に位置する後壁部５１と、後壁部５１の両端から前方に向かって突出する一対の側壁部５３とを備えている。カバー部材５０は、後壁部５１と一対の側壁部５３とによって、全体として平面視略コの字型をしており、上下方向に開口している。また、カバー部材５０の上半分の部分には、電線４５を上方に引き出し可能な電線挿通部５５が設けられており、カバー部材５０の下半分には、前側に向かって突出するリブ壁６５及びリブ基部６７が設けられている。
【００２４】
電線挿通部５５は、図３及び図４に示すように、後壁部５１の上部と後端側上部の側壁部５３と、後壁部５１と平行な前壁部５７とが一体になることで設けられている。前壁部５７は、カバー部材５０の前後方向の略中央位置に一対の側壁部５３の間を繋ぐようにして設けられている。そして、電線挿通部５５は、各壁部５１、５３、５７に囲まれた状態で上下に開口しており、各壁部５１、５３、５７の繋ぎ目部分がＲ形状とされることで、その内面が平面視略長孔形状となっている。また、電線挿通部５５は、他の側壁部５３の部分より上方に突出しており、電線挿通部５５の上端位置は、コネクタハウジング２０のロックアーム２１の上端位置とほぼ同じ位置となっている。
【００２５】
側壁部５３は、図２及び図４に示すように、コネクタハウジング２０の外面と重なる薄肉部５３Ａと、薄肉部５３Ａとコネクタハウジング２０の側面の肉厚を足した程度の肉厚の厚肉部５３Ｂとを備えている。そして、側壁部５３は、コネクタハウジング２０のフランジ部２３を覆う位置まで前方に突出している。そして、側壁部５３の薄肉部５３Ａには、コネクタハウジング２０の後端位置に設けられた係止突起３５と嵌合する係止孔５９が設けられている。係止孔５９は、略矩形状で、板厚方向に貫通している。また、係止孔５９の上下方向の内寸法は、係止突起３５の上下方向の外寸法とほぼ同じとなっており、係止孔５９の前後方向の内寸法は、係止突起３５の前後方向の外寸法よりも若干大きくなっている。
【００２６】
そして、図２及び図７に示すように、側壁部５３の厚肉部５３Ｂから前方に向かってガイド壁６１が突出している。ガイド壁６１は、側壁部５３全体の先端位置よりも前方に突出している。そして、ガイド壁６１は、コネクタハウジング２０の後端部の側面に設けられた切欠き部３９に挿入可能となっており、切欠き部３９に挿入されると、コネクタハウジング２０の側面と面一になっている。ガイド壁６１は、その先端部が先細りしており、切欠き部３９に挿入しやすくなっている。また、前壁部５７には、図６及び図７に示すように、側壁部５３との間でロックアーム保護壁２１Ａを挟む込む挟み込み壁６３が設けられている。挟み込み壁６３は、前壁部５７から前方に側壁部５３の前端位置とほぼ同じ位置まで突出している。
【００２７】
また、図５及び図７に示すように、後壁部５１の電線挿通部５５の下側からは、リブ基部６７が突出している。リブ基部６７は、コネクタハウジング２０の隔壁３１と同じ位置に等間隔で設けられている。リブ基部６７は、隔壁３１の後端部とほぼ等幅となっている。そして、リブ基部６７の前端面６７Ａから前方にリブ壁６５が突出している。リブ壁６５は、リブ基部６７の略半分程度の幅寸法を有しており、リブ壁６５の下端位置は、後壁部５１及び側壁部５３の下端位置とほぼ同じとなっている。また、リブ壁６５は、突出壁３３の上下方向の寸法及び位置とほぼ同じになっている。そして、リブ壁６５の突出壁３３と反対側の側面は、リブ基部６７と面一になっている。また、リブ壁６５の突出壁３３側の側面は、突出壁３３と重なり合う重なり面６５Ａとなっている。また、リブ壁６５の前端面は、隔壁３１に突き当たる突き当て面６５Ｂとなっている。
【００２８】
次に、非防水コネクタ１０の組み付け手順の一例について説明する。
まず、カバー部材５０の電線挿通部５５に端子金具４０及び電線４５を先通しする。電線挿通部５５の上方から電線４５が接続された端子金具４０を挿入してカバー部材５０の下側から端子金具４０を引き出す。この際に、カバー部材５０の下側及び電線挿通部５５の下方前方が開口しているため、簡単に端子金具４０を引き出すことができる。なお、本実施形態では、コネクタハウジング２０から電線４５を引き出した方向である後方に後壁部５１が設けられているため、カバー部材５０内で電線４５を曲げて上方に引き出すようにしてある。この際に、電線挿通部５５によって電線４５が位置決めされているため、電線４５がロックアーム２１等に干渉する虞がない。
【００２９】
次に、カバー部材５０に先通しされた電線４５と接続された端子金具４０が端子挿入口２５Ａから各キャビティ２５内に挿入される。この際に、各キャビティ２５の延びる方向（前後方向）と電線挿通部５５の開口する方向（上下方向）が直交していることから、電線挿通部５５の下端位置で電線４５を略９０度に曲げて、端子金具４０をキャビティ２５内に挿入する。また、突出壁３３の一面にはテーパー面３３Ｃが設けられていることから、端子金具４０を端子挿入口２５Ａに挿入しやすくなる。そして、端子金具４０がキャビティ２５内に挿入されて、正規位置でランス２７によって一次係止された状態で、リテーナ３７がリテーナ装着部２９内で上方に押し込まれて端子金具４０を二次係止する。
【００３０】
端子金具４０がコネクタハウジング２０内の正規位置で係止された状態で、カバー部材５０が後方からコネクタハウジング２０に取り付けられる。カバー部材５０のガイド壁６１が切欠き部３９に挿入されることで、カバー部材５０の上下方向の位置が位置決めされる。そして、カバー部材５０がさらに前方に押し込まれ、係止突起３５が係止孔５９に係止した状態で、カバー部材５０がコネクタハウジング２０に固定される。この際に、コネクタハウジング２０のロックアーム保護壁２１Ａがカバー部材５０の側壁部５３と挟み込み壁６３に挟み込まれる。
【００３１】
そして、カバー部材５０とコネクタハウジング２０とが所定位置まで近接すると、コネクタハウジング２０の突出壁３３の突き当て面３３Ｂがリブ基部６７の前端面６７Ａに突き当たる。同時に、カバー部材５０のリブ壁６５の突き当て面６５Ｂが隔壁３１の後端面３１Ａに突き当たり、カバー部材５０の前方への移動が停止される。このようにして、カバー部材５０がコネクタハウジング２０に装着されると、キャビティ２５の後方開口である端子挿入口２５Ａがカバー部材５０によって覆われる。特に、端子挿入口２５Ａの開口方向である後方が後壁部５１によって一体的に覆われることで、キャビティ内への異物の侵入を抑制することができる。
【００３２】
また、カバー部材５０がコネクタハウジング２０に装着されると、突出壁３３とリブ壁６５とが互いの重なり面３３Ａ、６５Ａが重なり合うように接触する。この重なり面３３Ａ、６５Ａは、前後上下方向に広がる面であって、重なり面３３Ａ、６５Ａはキャビティ２５の並び方向（幅方向）と交差している。そのため、仮に、カバー部材５０とコネクタハウジング２０との間に異物が侵入したとしても、隣接するキャビティ２５間を跨ぐように異物が侵入することができなくなる。
【００３３】
そして、コネクタハウジング２０の突出壁３３とカバー部材５０のリブ壁６５は、互いに重なり面３３Ａ、６５Ａで重なりつつ、突き当て面３３Ｂがリブ基部６７の前端面６７Ａに突き当たり、突き当て面６５Ｂが隔壁３１の後端面３１Ａに突き当てあっている。そのため、隣接する端子金具４０のうち一方の端子金具４０から、隔壁３１の壁面（キャビティ２５の壁面）及び突出壁３３を伝わって、他方の端子金具４０に至る経路の距離が増し、隣接する端子金具４０間の短絡を防止することができる。
【００３４】
以上のように、本実施形態では、端子挿入口２５Ａ側にはカバー部材５０が取り付けられることで、端子挿入口２５Ａからキャビティ２５内への異物の侵入を抑制することができる。また、突出壁３３とリブ壁６５とが重なり面３３Ａ、６５Ａで重なり合い、この重なり面３３Ａ、６５Ａがキャビティ２５の並び方向と交差することから、仮に、カバー部材５０とコネクタハウジング２０との間に異物が侵入したとしても、隣接するキャビティ２５間を跨ぐように異物が侵入することができなくなる。また、突出壁３３とリブ壁６５とが重なり面３３Ａ、６５Ａで重なり合いつつ突き当てあう構造になっている。そのため、隣接する端子金具４０のうち一方の端子金具４０から、隔壁３１の壁面及び突出壁３３を伝わって、他方の端子金具４０に至る経路の距離が増す。よって、端子挿入口２５Ａからキャビティ２５内に侵入した異物混入による短絡を防止することができる。
【００３５】
＜実施形態２＞
次に、実施形態２を図１０から図２３によって説明する。
実施形態２の非防水コネクタ１１０では、カバー部材１５０の下方に蓋部１７０が設けられている点が、実施形態１とは相違する。なお、実施形態１と同一機能を有する部材、部位については、同一の符号を付すことで、説明を省略しまたは簡略化する。また、上下前後方向については、実施形態１と同じ方向とする。
【００３６】
コネクタハウジング１２０については、突出壁１３３の形状以外については、実施形態１と同じであるため、突出壁１３３以外の説明を省略する。突出壁１３３は、図１９及び図２０に示すように、隔壁３１の後端面３１Ａから後方に向かって突出する。この突出壁１３３は、隔壁３１の後端面３１Ａ幅寸法の略半分程度の幅となっている。そして、突出壁１３３の上端位置は隔壁３１とほぼ同じで、突出壁１３３の下端位置は隔壁３１の寸法よりも下側に突出し、フランジ部２３の下端位置よりも上方となっている。また、突出壁１３３は、ロックアーム２１の後端位置とほぼ同じ位置まで後方に向かって突出している。また、突出壁１３３は、重なり面１３３Ａと突き当て面１３３Ｂとテーパー面１３３Ｃとを備えている。
【００３７】
カバー部材１５０は、図１２及び図１５に示すように、後壁部１５１と、一対の側壁部１５３と、前壁部５７とを備えている。また、カバー部材５０の上半分の部分は、電線挿通部５５とされており、カバー部材５０の下半分には、前側に向かって突出するリブ壁１６５及びリブ基部１６７が設けられている。
【００３８】
側壁部１５３は、図１５及び図１８に示すように、コネクタハウジング１２０のフランジ部２３を覆う位置まで前方に突出している。そして、側壁部１５３には、係止突起３５と嵌合する係止孔５９と、ガイド壁６１と、後記する蓋部１７０と係合する係合突起１６９が設けられている。係合突起１６９は、側壁部１５３から外側に突出しており、下面が下側にいくほど突出寸法が小さくなる傾斜面となっている。
【００３９】
また、図１５及び図２０に示すように、後壁部１５１の電線挿通部５５の下側からは、リブ基部１６７が突出している。リブ基部１６７は、コネクタハウジング２０の隔壁３１と同じ位置に等間隔で設けられており、隔壁３１の後端部とほぼ等幅となっている。また、図１５及び図２１に示すように、リブ基部６７は、下面が階段形状となっている。リブ基部６７は、幅方向の略中央を境に一側方１６７Ｂと他側方１６７Ｃとに分けることができ、この一側方１６７Ｂが他側方１６７Ｃよりも下端位置が低くなることで、リブ基部１６７の下端部に段差面１６７Ｄを露出している。なお、リブ基部１６７の下端位置は、側壁部１５３等の下端位置よりも後記する突出リブ部１８１の分だけ上方に位置している。
【００４０】
そして、リブ基部１６７の前端面１６７Ａから前方にリブ壁１６５が突出している。リブ壁１６５は、リブ基部１６７の略半分程度の幅寸法を有しており、リブ基部１６７の一側方１６７Ｂと等幅となっている。また、リブ壁１６５の下端位置は、リブ基部１６７の一側方１６７Ｂの下端位置と同じで、突出壁１３３の下端位置よりも下側に位置している。そして、リブ壁１６５の突出壁１３３側の側面は、突出壁１３３と重なり合う重なり面１６５Ａとなっている。また、リブ壁１６５の前端面は、隔壁３１に突き当たる突き当て面１６５Ｂとなっている。
【００４１】
蓋部１７０は、図１７及び図１８に示すように、カバー部材１５０の下側の開口部１５０Ａ（図１９参照）を覆うようにカバー部材１５０に装着される。蓋部１７０は、底板部１７１と、底板部１７１の側端部から上方に延びる一対の腕部１７３とを備えている。底板部１７１は、略矩形状の平板状をなしており、前後方向及び幅方向の寸法がカバー部材１５０の外形寸法とほぼ同じとなっている。
【００４２】
そして、腕部１７３は、底板部１７１の側面の後端から上方に突出しており、カバー部材１５０の側壁部１５３の外面にその内面が接触する。腕部１７３には、前後方向の中央位置に係合突起１６９に係合する係合孔１７５が設けられている。係合孔１７５は、腕部１７３の下端位置から上方に延びるように開口しており、係合突起１６９の外形寸法とほぼ同じ前後方向の内寸法を有している。係合孔１７５の上端孔縁が係合突起１６９に引っかかることで、係合突起１６９に係合孔１７５が係合する。
【００４３】
また、蓋部１７０には、図１７及び図２１に示すように、底板部１７１から蓋部１７０の装着方向（上方）に突出する突出リブ部１８１が設けられている。突出リブ部１８１は、正面視略Ｌ字の角柱状（階段形状）をしており、リブ基部１６７と嵌め合い可能な凹凸形状となっている。突出リブ部１８１の後端位置は、リブ基部１６７の後端位置と同じであり、突出リブ部１８１の前端位置はリブ壁１６５の前端位置と同じである。また、突出リブ部１８１の幅寸法は、リブ基部１６７の幅寸法とほぼ同じである。
【００４４】
突出リブ部１８１は、幅方向の略中央を境に低段部１８１Ａと高段部１８１Ｂとに分けることができ、この高段部１８１Ｂが低段部１８１Ａよりも上端位置が高くなることで、段差面１８１Ｃを露出している。なお、突出リブ部１８１の段差面１８１Ｃは、リブ基部１６７の段差面１６７Ｄと幅方向において同じ位置となっており、当接可能となっている。また、リブ基部１６７の一側方１６７Ｂと突出リブ部１８１の低段部１８１Ａを合わせた高さ寸法（上下方向の寸法）は、リブ基部１６７の他側方１６７Ｃと突出リブ部１８１の高段部１８１Ｂを合わせた高さ寸法とほぼ同じとなっている。そして、突出リブ部１８１の前端面１８１Ｄは、リブ壁１６５の突き当て面１６５Ｂと面一になる。
【００４５】
次に、非防水コネクタ１１０の組み付け手順の一例について説明する。
まず、カバー部材１５０の電線挿通部５５に端子金具４０及び電線４５を先通しする。そして、端子挿入口２５Ａから各キャビティ２５に端子金具４０を挿入して正規位置まで押し込み、ランス２７とリテーナ３７によって係止する。
【００４６】
一方で、蓋部１７０を下方からカバー部材１５０に装着する。カバー部材１５０の底壁部１５３の外面に蓋部１７０腕部１７３の内面を接触させつつ、蓋部１７０とカバー部材１５０を近接させる。そして、係合突起１６９に腕部１７３が当接すると、腕部１７３が外側に撓み変形して係合突起１６９を乗り越えて弾性復帰し、係合孔１７５に係合突起１６９が係合する。
【００４７】
そして、カバー部材１５０と蓋部１７０とが所定位置まで近接すると、突出リブ部１８１の上面がリブ基部１６７の下面に突き当たって蓋部１７０の上方への移動が停止される。このようにして、蓋部１７０がカバー部材１５０に装着されると、カバー部材１５０の下側の開口部１５０Ａが蓋部１７０によって覆われる。そのため、電線４５が挿通される電線挿通部５５とは反対側の開口部１５０Ａが塞がれることで、カバー部材１５０内への異物の侵入を抑制することができる。
【００４８】
また、蓋部１７０がカバー部材１５０に装着されると、図２１及び図２２に示すように、突出リブ部１８１とリブ基部１６７とが互いの段差面１８１Ｃ、１６７Ｄが重なり合うように接触する。また、リブ壁１６５の重なり面１６５Ａの下端部も突出リブ部１８１の段差面１８１Ｃと重なる。そのため、リブ壁１６５の重なり面１６５Ａのうち露出している部分は、突出壁１３３の重なり面１３３Ａと同じ大きさ及び形状となる。
【００４９】
そして、端子金具４０がコネクタハウジング１２０内の正規位置で係止された状態で、蓋部１７０が装着されたカバー部材１５０が後方からコネクタハウジング１２０に取り付けられる。カバー部材１５０のガイド壁６１が切欠き部３９に挿入されることで、カバー部材１５０の上下方向の位置が位置決めされる。そして、カバー部材１５０がさらに前方に押し込まれ、係止突起３５が係止孔５９に係止した状態で、カバー部材５０がコネクタハウジング２０に固定される。この際に、コネクタハウジング２０のロックアーム保護壁２１Ａがカバー部材１５０の側壁部１５３と挟み込み壁６３に挟み込まれる。
【００５０】
そして、カバー部材１５０とコネクタハウジング１２０とが所定位置まで近接すると、図２２及び図２３に示すように、コネクタハウジング１２０の突出壁１３３の突き当て面１３３Ｂがリブ基部１６７の前端面１６７Ａに突き当たる。同時に、カバー部材１５０のリブ壁１６５の突き当て面１６５Ｂが隔壁３１の後端面３１Ａに突き当たり、カバー部材５０の前方への移動が停止される。このようにして、カバー部材１５０がコネクタハウジング１２０に装着されると、キャビティ２５の後方開口である端子挿入口２５Ａがカバー部材１５０によって覆われる。この際にカバー部材１５０の下側の開口部１５０Ａが蓋部１７０によって覆われていることから、カバー部材１５０内への異物の侵入及びキャビティ２５内への異物の侵入が抑制される。
【００５１】
また、カバー部材１５０がコネクタハウジング１２０に装着されると、突出壁１３３とリブ壁１６５とが互いの重なり面１３３Ａ、１６５Ａが重なり合うように接触する。また、突出リブ部１８１の前端部の段差面１８１Ｃもリブ壁１６５の重なり面１６５Ａと重なっている。つまり、突出壁１３３の重なり面１３３Ａと突出リブ部１８１の段差面１８１Ｃとが面一となって、リブ壁１６５の重なり面１６５Ａと重なっている。一方で、突出リブ部１８１の高段部１８１Ｂの上端面が突出壁１３３の下端面と重なり、突出リブ部１８１の低段部１８１Ａの上端面がリブ壁１６５の下端面と重なる。このように三次元的に組み合わさって重なり合っていることから、仮に、突出リブ部１８１と突出壁１３３もしくはリブ壁１６５との間に異物が侵入したとしても、キャビティ２５側への異物の侵入を防止できる。
【００５２】
以上のように、本実施形態では、カバー部材１５０に設けられた開口部１５０Ａに蓋部１７０を装着することで、キャビティ２５内への異物の侵入をさらに抑制できる。また、突出壁１３３とリブ壁１６５と突出リブ部１８１が三次元的に組み合わさって重なり合っていることから、仮に、突出リブ部１８１と突出壁１３３もしくはリブ壁１６５との間に異物が侵入したとしても、キャビティ２５側への異物の侵入を防止できる。そのため、隣接する端子金具４０において、端子挿入口２５Ａから侵入した異物混入による短絡を防止することができる。
【００５３】
＜他の実施形態＞
本明細書で開示される技術は上記記述及び図面によって説明した実施形態に限定されるものではなく、例えば次のような実施形態も技術的範囲に含まれる。
（１）上記実施形態１、２では、突出壁３３、１３３とリブ壁６５、１６５とは重なり面３３Ａ、１３３Ａ、６５Ａ、１６５Ａ同士全面で重なっていたが、その先端部分同士が重なるようになっていても良い。
【００５４】
（２）上記実施形態１、２では、突出壁３３、１３３の突き当て面３３Ｂ、１３３Ｂがリブ基部６７、１６７に突き当り、リブ壁６５、１６５の突き当て面６５Ｂ、１６５Ｂが隔壁３１に突き当たるようになっていたが、突き当たらなくても良い。また、リブ壁６５、１６５が直接隔壁３１に突き当たっていたが、隔壁より後方に突出した突出基部を設けてその部分に突き当たるようにしても良い。
【００５５】
（３）上記実施形態２では、突出リブ部１８１の高段部１８１Ｂの上端面が突出壁１３３の下端面と重なり、突出リブ部１８１の低段部１８１Ａの上端面がリブ壁１６５の下端面と重なるようになっていたが、突出リブ部の低段部の上端面が突出壁の下端面と重なり、高段部の上端面がリブ壁の下端面と重なるようにしても良い。
【００５６】
（４）上記実施形態２では、蓋部１７０をカバー部材１５０に取り付けた後にコネクタハウジング１２０にカバー部材１５０を装着していたが、コネクタハウジング１２０にカバー部材１５０を装着した後に、蓋部１７０をカバー部材１５０に取り付けても良い。
【符号の説明】
【００５７】
１０、１１０…非防水コネクタ
２０、１２０…コネクタハウジング
２５…キャビティ
２５Ａ…端子挿入口
３１…隔壁（突出基部）
３１Ａ…後端面
３３、１３３…突出壁
３３Ａ…重なり面
３３Ｂ…突き当て面
３３Ｃ…テーパー面
３５…係止突起
４０…端子金具
４５…電線
５０、１５０…カバー部材
１５０Ａ…開口部
５１…後壁部
５３…側壁部
５５…電線挿通部
５７…前壁部
５９…係止孔
６５、１６５…リブ壁
６５Ａ、１６５Ａ…重なり面
６５Ｂ、１６５Ｂ…突き当て面
６７、１６７…リブ基部
６７Ａ、１６７Ａ…前端面
１６７Ｂ…一側方
１６７Ｃ…他側方
１６７Ｄ…段差面
１６９…係合突起
１７０…蓋部
１７１…底板部
１７３…腕部
１７５…係合孔
１８１…突出リブ部
１８１Ａ…低段部
１８１Ｂ…高段部
１８１Ｃ…段差面
１８１Ｄ…前端面
【図１】
0006512450.tif 000002
【図２】
0006512450.tif 000003
【図３】
0006512450.tif 000004
【図４】
0006512450.tif 000005
【図５】
0006512450.tif 000006
【図６】
0006512450.tif 000007
【図７】
0006512450.tif 000008
【図８】
0006512450.tif 000009
【図９】
0006512450.tif 000010
【図１０】
0006512450.tif 000011
【図１１】
0006512450.tif 000012
【図１２】
0006512450.tif 000013
【図１３】
0006512450.tif 000014
【図１４】
0006512450.tif 000015
【図１５】
0006512450.tif 000016
【図１６】
0006512450.tif 000017
【図１７】
0006512450.tif 000018
【図１８】
0006512450.tif 000019
【図１９】
0006512450.tif 000020
【図２０】
0006512450.tif 000021
【図２１】
0006512450.tif 000022
【図２２】
0006512450.tif 000023
【図２３】
0006512450.tif 000024